(57)【特許請求の範囲】
【請求項１】
機台（１１）に配設されたエンジン（９）と、該エンジン（９）により回転伝達手段（１５、１７）を介して回転駆動される駆動軸（７）と、該駆動軸（７）に配設され風を供給する送風手段（１、３、５、１９、２３、２５、３５）とを備え、
該送風手段（１、３、５、１９、２３、２５、３５）は静翼（３）が固定されるファンケース（５）と前記駆動軸（７）に取り付けられた動翼（１）とを有し、該ファンケース（５）は、その軸心を前記駆動軸（７）に一致させつつ該静翼（３）の内側円筒部（２５）をベアリング（２３）を介し前記エンジン（９）に連設される回転伝達手段（１５、１７）の円筒部（１９）に前記駆動軸（７）回りに回動自在に支持され、さらに前記送風手段（１、３、５、１９、２３、２５、３５）は、前記ファンケース（５）を回動させる回動手段（４１、４３、４５、４７、４９）を備えたことを特徴とする薬剤散布車。
【請求項２】
前記回動手段（４１、４３、４５、４７、４９）はモータ（４９）を有し、該モータ（４９）の回動が停止されたとき前記ファンケース（５）の停止位置を強制的に保持する停止保持手段（５５）を備えたことを特徴とする請求項１記載の薬剤散布車。
【発明の詳細な説明】
【０００１】
【発明の属する技術分野】
本発明は薬剤散布車に係わり、特に傾斜地に対し薬剤散布をする際でも斜面に沿って良好な散布が可能な薬剤散布車に関する。
【０００２】
【従来の技術】
傾斜地に栽培された立木、ホップ、棚等に対しスピードスプレーヤ等の薬剤散布車により薬剤散布をする場合、従来、薬剤散布対象の状況に応じてノズルの向きを制御したり、噴頭部からの吐出風の向きを制御板により制御したりする構成の傾斜散布装置が知られている（特開平８−７１４６９号公報）。
【０００３】
また、別の例として、機台に対し駆動軸を回動自在に支承する。そして、この駆動軸に取り付けられた羽根車を有する２基の送風部を機台に対しそれぞれ２７０度程度回動可能とした構成の傾斜散布装置が知られている（特公昭４０−１５４２０号公報）。
【０００４】
更に、別の例として、２基のファンケースが対とされ、このファンケース外周にスプロケットが形成され、１台のモータの駆動力を利用してそれぞれのファンケースを関係変位可能とした構成の傾斜散布装置が知られている（実公昭５８−４５８０６号公報）。
【０００５】
【発明が解決しようとする課題】
ところで、従来の傾斜散布装置は部品点数が多く、機構が複雑であった。このため、コスト高となっている。また、送風機からの風を制御板にて方向を変えるため、風速のロスが生じるおそれがあった。
【０００６】
更に、図７の噴頭部断面図に示すように、動翼１の回転により生成された風が静翼３に作用することで、ファンケース５が動翼１の回転方向に力を受け、ファンケース５が徐々に固定位置から回転してしまうおそれがあった。
【０００７】
更に、従来の傾斜散布装置では、送風部１０とエンジン９とが、機台１１に対しそれぞれ独自に据え付けられた後、駆動軸７のカップリングがされる。このため、図８に示すように、ファンケース脚１３と機台１１の間に対し、組立時にシム調整等を行い、ファンケース５の軸心と駆動軸７の軸心をあわせる必要があった。
【０００８】
かかる軸心の調整は煩雑であり、軸心が一致しない場合には送風部１０より吐出される風に偏りを生じてしまう。
【０００９】
本発明はこのような従来の課題に鑑みてなされたもので、傾斜地に対し薬剤散布をする際でも斜面に沿って良好な散布が可能な薬剤散布車を提供することを目的とする。
【００１０】
【課題を解決するための手段】
このため本発明は、機台（１１）に配設されたエンジン（９）と、該エンジン（９）により回転伝達手段（１５、１７）を介して回転駆動される駆動軸（７）と、該駆動軸（７）に配設され風を供給する送風手段（１、３、５、１９、２３、２５、３５）とを備える。
【００１２】
また、本発明は、前記送風手段（１、３、５、１９、２３、２５、３５）は、前記駆動軸（７）に取り付けられた動翼（１）と、前記エンジン（９）に軸受（１９、２３、２５）を介して該駆動軸（７）回りに回動自在に支持されるファンケース（５）とを有し、該ファンケース（５）を回動させる回動手段（４１、４３、４５、４７、４９）を備えて構成した。
【００１３】
ファンケース（５）を回動させることで風の吐出方向を変えることができる。従って、例えばファンケース（５）にノズル（３１）を取り付ければ、霧の散布方向を変えることができる。このことにより、傾斜地を散布する際に、送風手段（１、３、５、１９、２３、２５、３５）を左右に傾斜させ、斜面に沿って良好な薬剤噴霧を行うことが可能となる。
【００１４】
更に、本発明は、前記回動手段（４１、４３、４５、４７、４９）はモータ（４９）を有し、該モータ（４９）の回動が停止されたとき前記ファンケース（５）の停止位置を強制的に保持する停止保持手段（５５）を備えて構成した。
【００１５】
このことにより、ファンケース（５）の回転角度が一旦調整された後には、動翼（１）の回転による送風中であってもファンケース（５）を常に固定することができる。
【００１６】
【発明の実施の形態】
以下、本発明の実施形態について説明する。本発明の実施形態である噴頭装置の縦断面図を図１に、図１中のＡ−Ａ矢視断面図を図２に示す。また、図３にエンジン及び送風部が一体化された状態での縦断面図を示す。
【００１７】
図１〜図３において、エンジン９には、断接可能なクラッチの内蔵されたクラッチケース１５及びエンジン９による回転速度を可変するギヤの内蔵されたギヤケース１７が連設されている。そして、このギヤケース１７には円筒部１９が突設され、この円筒部１９の中央を駆動軸７が貫通している。駆動軸７の先端部には動翼１がハブ２１により取り付けられている。
【００１８】
円筒部１９の外周にはベアリング２３を介して静翼内側円筒部２５が回動自在に配設されている。静翼内側円筒部２５には複数枚からなる静翼３が固定され、この静翼３の端部にはファンケース５が固着されている。また、エンジン９のクラッチケース１５とは反対側にはＶプーリ２７が配設され、このＶプーリ２７に掛けられるＶベルトにより、スピードスプレーヤの図示しない車輪や薬液ポンプが駆動されるようになっている。
【００１９】
ファンケース５の周囲には化粧胴２９が形成されている。そして、この化粧胴２９の後端には防塵網３０が配設されている。また、化粧胴２９のエンジン９側にはノズル３１がノズルパイプ３３より分岐され、化粧胴２９の外部に突出されている。動翼１により外部より吸引され、静翼３を通過した風を放射状に案内するため、化粧胴２９に対し導風板３５が取り付けられている。この導風板３５は、ノズル３１側に向けて拡開されている。
【００２０】
図２に示すように、２６個のノズル３１が、ハブ２１の中心を通る水平軸線３７の上側を含み、垂直軸線３９を境に左回り、右回りにそれぞれ１３５度程度にわたりほぼ均等に配設されている。
【００２１】
なお、ファンケース５の周囲の機台１１にはローラ６０が配設されている。このローラ６０は、ファンケース５とは軽く接触しており、ファンケース５の荷重を補助的に支持している。そして、振動等によりファンケース５がぶれた場合のストッパとしても機能している。
【００２２】
図４に、ファンケース５を回動させる回動駆動装置の詳細図を示す。図１、図２、図４において、ファンケース５の周囲の２か所にはチェーン４１の端部が固定されている。チェーン４１は、スプロケット４３に歯合されている。
【００２３】
スプロケット４３は、回転軸４５により貫通固定され、この回転軸４５には、ギヤ４７を介してモータ４９の軸動力が伝達されるようになっている。回転軸４５はブラケット５１、５３により支承され、ブラケット５１、５３は機台１１に固定されている。また、回転軸４５の端部には、電磁ブレーキ５５が配設されている。
【００２４】
次に、本発明の実施形態の動作を説明する。
エンジン９に送風部１０を一体的に構成する。モータ４９を駆動すると、回転軸４５が回動する。この回動によりチェーン４１が移動されることで、ファンケース５が垂直軸線３９を境に左右にそれぞれ２５〜３０度程度まで回動可能である。
【００２５】
２６個のノズル３１が、左回り、右回りにそれぞれ１３５度程度にわたりほぼ均等に配設されているため、ファンケース５の回動角度は小さくてすむ。従って、回動駆動装置の構成も簡素にできる。
【００２６】
ファンケース５が回動された場合、静翼内側円筒部２５が円筒部１９回りにベアリング２３を介して回動する。従って、ノズル３１も傾斜され、図５に示すように傾斜散布を行うことができる。ノズルパイプ３３は、ファンケース５の周囲に沿って複数に分割されており、この分割されたノズルパイプ３３の弁をそれぞれ開閉制御可能である。
【００２７】
このことにより、傾斜地を散布する際に、送風部１０を左右に傾斜させ、斜面に沿って良好な薬剤噴霧を行うことが可能となる。なお、このように、左右の回動角度は２５〜３０度程度と小さいため、チェーン４１に代えて、シリンダ等でも構成可能である。
【００２８】
エンジン９と送風部１０とは一体化され、機台１１に対し送風部１０が固定されずに浮いた状態である。また、エンジン９と送風部１０とは、一体化後に機台１１に対し据え付けることが可能である。
【００２９】
このため、組立時にシム調整やカップリング等を行う必要はなく、ファンケース５と駆動軸７の軸心が一致している分、送風部１０より吐出される風は均一となる。従って、送風部１０からの風の抵抗も少なく、風速の落ち込みが少なく、霧の到達性も向上する。
【００３０】
また、従来の傾斜散布装置に比べ、送風部１０が一体で回転するため、機構が簡単で部品点数が少なく、軽量かつ安価に構成できる。
【００３１】
なお、電磁ブレーキ５５とモータ４９の間の配線回路図を図６に示す。図６において、スイッチ５７の一端は電源５９に接続され、一方、スイッチ５７の他端は電磁ブレーキ５５とモータ４９に接続されている。電磁ブレーキ５５は、無励磁作動ブレーキであり、モータ４９は正転、逆転の可能なモータである。
【００３２】
そして、スイッチ５７を操作してモータ４９の軸心を回動することで、ファンケース５の回転角度を調整可能である。電磁ブレーキ５５は、モータ４９がスイッチ５７の操作により電源５９に接続されたとき、同時に電磁ブレーキ５５にも電流が流れて回転軸４５のブレーキは解除される。
【００３３】
一方、モータ４９が電源５９から解放されたときには、電磁ブレーキ５５にも電流は流れなくなり、回転軸４５を押圧してブレーキがかけられる。
このことにより、ファンケース５の回転角度が一旦調整された後には、動翼１の回転による送風中であってもファンケース５を常に固定することができる。
【００３４】
【発明の効果】
以上説明したように本発明によれば、送風手段（１、３、５、１９、２３、２５、３５）をエンジン（９）と一体化し、機台（１１）に対し固定せずに浮かせて構成したので、一体化後に機台（１１）に据え付けることができ、シム調整やカップリング等を行う必要はなく調整工程を省略できる。
【００３５】
送風手段（１、３、５、１９、２３、２５、３５）と駆動軸（７）の軸心が一致している分、送風手段（１、３、５、１９、２３、２５、３５）より吐出される風は均一となる。機構が簡単で部品点数が少なく、軽量かつ安価である。
【００３６】
また、ファンケース（５）を回動させる回動手段（４１、４３、４５、４７、４９）を備えて構成したので、傾斜地を散布する際に、送風手段（１、３、５、１９、２３、２５、３５）を左右に傾斜させ、斜面に沿って良好な薬剤噴霧を行うことが可能となる。
【図面の簡単な説明】
【図１】  本発明の実施形態である噴頭装置の縦断面図
【図２】  図１中のＡ−Ａ矢視断面図
【図３】  エンジン及び送風部が一体化された状態での縦断面図
【図４】  ファンケースを回動させる回動駆動装置の詳細図
【図５】  傾斜散布が行われているときの様子を示す図
【図６】  配線回路図
【図７】  噴頭部断面図
【図８】  シム調整の様子を示す図
【符号の説明】
１  動翼
３  静翼
５  ファンケース
７  駆動軸
９  エンジン
１０  送風部
１１  機台
１９  円筒部
２１  ハブ
２３  ベアリング
２５  静翼内側円筒部
３１  ノズル
３３  ノズルパイプ
４１  チェーン
４３  スプロケット
４５  回転軸
４９  モータ
５５  電磁ブレーキ
５７  スイッチ
【図１】
0003862555.tif 000002
【図２】
0003862555.tif 000003
【図３】
0003862555.tif 000004
【図４】
0003862555.tif 000005
【図５】
0003862555.tif 000006
【図６】
0003862555.tif 000007
【図７】
0003862555.tif 000008
【図８】
0003862555.tif 000009